(57)【要約】【課題】薄型化を実現でき、全体としてコンパクトであって使用者に与える圧迫感を抑制することができる照明器具付天井扇風機を提供する。【解決手段】照明器具付天井扇風機１は、主に、駆動部３０を備えた天井扇風機本体１０と、天井扇風機本体１０の下側に設けられた照明器具５０と、天井扇風機本体１０に設けられた羽根部７０とから構成されている。照明器具５０は、管径が２０ｍｍ以下の環状の蛍光ランプ５５を備えているとともに天井扇風機本体１０よりも高さ方向における長さが小さくなっている。羽根部７０は駆動部３０の駆動により回転する複数の羽根７２を備えており、羽根７２は照明器具５０よりも上方にあり、天井Ｃとの間に所定の間隔が形成されているとともに羽根７２の根元部７２ａと照明器具５０との間には隙間が形成されている。また、羽根７２の根元部７２ａは照明器具５０の端縁よりも内側に位置し、かつ羽根７２の先端部７２ｂは照明器具５０の端縁よりも外側に位置している。【選択図】図２
2005226587.tif 000002
【特許請求の範囲】
【請求項１】
駆動部を有し、天井に取付けられる天井扇風機本体と；
天井扇風機本体の下側に設けられ、管径が２０ｍｍ以下の環状の蛍光ランプを備え、かつ天井扇風機本体よりも高さ方向における長さが小さい照明器具と；
照明器具よりも上方であって、根元部が照明器具の端縁よりも内側に位置し、先端部が照明器具の端縁よりも外側に位置し、天井との間に所定の間隔が形成され、照明器具の上面と根元部との間に隙間が形成されるように天井扇風機本体に設けられ、駆動部の駆動により回転する複数の羽根と；
を具備していることを特徴とする照明器具付天井扇風機。
【請求項２】
天井扇風機本体は、外部からの信号に基づいて羽根の回転方向が変えられるように駆動部を制御する制御部を具備していることを特徴とする請求項１記載の照明器具付天井扇風機。
【請求項３】
照明器具の高さ方向における長さは羽根と天井との間の間隔よりも小さく、天井扇風機本体と照明器具とを合わせた高さ方向の全長は３５０ｍｍ以下であることを特徴とする請求項１又は２記載の照明器具付天井扇風機。
【請求項４】
照明器具は、蛍光ランプとの間に隙間が形成されるように蛍光ランプの下方に配置された開放形のセードを具備していることを特徴とする請求項１乃至３のいずれか１項に記載の照明器具付天井扇風機。
【請求項５】
照明器具は、セードの表面及び裏面の少なくとも一方に形成された光触媒膜を具備していることを特徴とする請求項４記載の照明器具付天井扇風機。
【請求項６】
蛍光ランプには、光触媒膜が設けられていることを特徴とする請求項５記載の照明器具付天井扇風機。
【請求項７】
天井扇風機本体は、羽根の回転数が最も速い状態で１００回転／分以下となるように駆動部を制御する回転制御部を具備していることを特徴とする請求項１乃至６のいずれか１項に記載の照明器具付天井扇風機。
【発明の詳細な説明】
【技術分野】
【０００１】
本発明は、天井扇風機に照明器具が取付けられた照明器具付天井扇風機に関する。
【背景技術】
【０００２】
近年、室内の空気を循環させて、室温の均一化を図るための天井扇風機が普及しつつある。このような天井扇風機には、照明器具が取付けられた照明器具付天井扇風機もある（特許文献１参照。）。
【０００３】
現在、このような照明器具付天井扇風機は、高さ方向の全長が大きいため、居室空間で使用した場合には、使用者に圧迫感及び威圧感を生じさせてしまう。このようなことから、照明器具付天井扇風機の薄型化が望まれている。
【特許文献１】特開２００２−２１７７６号公報
【発明の開示】
【発明が解決しようとする課題】
【０００４】
しかしながら、特許文献１記載の照明器具付天井扇風機は、羽根支持部が照明器具の上面と略同様な形状であって、羽根の根元部が照明器具の端縁よりも外側に位置していることにより、照明器具付天井扇風機の横方向の長さ寸法が大きなものとなってしまうので、使用者に対して強い圧迫感を生じさせるおそれがあった。特に、一般的な住宅の屋内に使用する場合においては、居住空間における照明部材の割合が大きくなることは好ましくないものであるので、上記のような構成は望まれるものではない。
【０００５】
また、特許文献１に記載のような単なる天井直付型照明器具を用いただけでは、天井扇風機本体と組合せた際の高さ寸法が大きくなってしまうおそれもあり、そのような仕様は使用者に圧迫感を与えてしまうので、好適なものではなかった。
【０００６】
また、特許文献１の照明器具付天井扇風機においては、羽根支持部が相当な大きさであるために駆動部に過大な負荷がかかるとともに羽根支持部の存在により、駆動時に生じる駆動部からの熱が照明器具の上面と天井との間の領域にこもり易くなり、結果として照明器具内の温度がより上昇してしまうおそれがある。
【０００７】
本発明は、上記問題を解決するためになされたものである。即ち、薄型化を実現でき、全体としてコンパクトであって使用者に与える圧迫感を抑制することができる照明器具付天井扇風機を提供することを目的とする。
【課題を解決するための手段】
【０００８】
請求項１記載の発明は、駆動部を有し、天井に取付けられる天井扇風機本体と；天井扇風機本体の下側に設けられ、管径が２０ｍｍ以下の環状の蛍光ランプを備え、かつ天井扇風機本体よりも高さ方向における長さが小さい照明器具と；照明器具よりも上方であって、根元部が照明器具の端縁よりも内側に位置し、先端部が照明器具の端縁よりも外側に位置し、天井との間に所定の間隔が形成され、照明器具の上面と根元部との間に隙間が形成されるように天井扇風機本体に設けられ、駆動部の駆動により回転する複数の羽根と；を具備していることを特徴とする照明器具付天井扇風機である。
【０００９】
本発明において、環状の蛍光ランプとは、外観形状が円環状、四角形状及び多角形状のいずれの形態のものでもよい。さらに、一対の電極に対して発光部が二重環状に形成されているものでもよく、要するに発光部が環状に形成されている形態のものであれば如何なる形態でもよいものである。
【００１０】
また、所定の空間とは、例えば、サーキュレーション効果が得られ得る程度に形成されている空間である。要するに、空気を循環させることで、室内の温度むらを軽減することができる作用を奏する程度に構成されていればよい。
【００１１】
本発明によれば、上記構成により、照明器具付天井扇風機全体の高さ方向における長さを低く抑えながら、照明器具付天井扇風機の横方向の長さ寸法を小さくできるので、全体としてコンパクトであって、使用者に与える圧迫感を抑制することができるものである。
【００１２】
また、羽根と天井との間に所定の間隔、及び羽根の根元部と照明器具の上面との間に隙間を形成しているので、対流により照明器具の冷却化を図ることができる。さらにまた、羽根をコンパクト化しているので、羽根の駆動系統を少量化できることで、駆動部にかかる負荷の低減化を図ることができる。
【００１３】
請求項２記載の発明は、天井扇風機本体が、外部からの信号に基づいて羽根の回転方向が変えられるように駆動部を制御する制御部を具備していることを特徴とする請求項１記載の照明器具付天井扇風機である。
【００１４】
請求項２記載の発明によれば、羽根の回転方向を変えられるので、蛍光ランプの効率低下をより抑制することができる。即ち、屋内の雰囲気温度が高い夏場等においては、雰囲気温度に加えて照明器具内部にこもる熱により照明器具内の温度が上昇し易くなる。そして、この温度が上昇すると、蛍光ランプの管壁温度が上昇してしまうので、蛍光ランプの効率が低下してしまうおそれがある。一方、屋内の雰囲気温度が低い冬場等においては、薄型の照明器具であっても蛍光ランプの管壁温度が低下してしまうので、蛍光ランプの効率が低下してしまうおそれがある。これに対し、本発明によれば、夏冬等により屋内温度のむらを低減することができるとともに、空気の流れにより蛍光ランプの管壁温度変化を抑制することができ、蛍光ランプの効率低下をより抑制することができる。
【００１５】
請求項３記載の発明は、照明器具の高さ方向における長さが羽根と天井との間の間隔よりも小さく、天井扇風機本体と照明器具とを合わせた高さ方向の全長は３５０ｍｍ以下であることを特徴とする請求項１又は２記載の照明器具付天井扇風機である。
【００１６】
天井扇風機本体と照明器具とを合わせた高さ方向における全長が３５０ｍｍ以下であれば、一般的な住宅の屋内の天井に用いた場合に使用者に圧迫感を生じさせることが少ないので、汎用性を増すことができる。
【００１７】
なお、全長は３００ｍｍ以下が最適である。これは、一般的な住宅の屋内の天井高さが２．５ｍ前後であることが多く、天井から３００ｍｍまでの器具高さであれば使用者に対して圧迫感を生じさせずに使用することができるからである。
【００１８】
請求項３記載の発明によれば、羽根と天井との間に所定の空間が形成されているので、羽根を回転させると、照明器具周辺で対流が起こる。これにより、照明器具の高さ方向における長さを羽根と天井との間隔よりも小さくしたとしても効率的に放熱させることができるので、天井扇風機本体と照明器具とを合わせた高さ方向の全長を３５０ｍｍ以下とすることができる。
【００１９】
請求項４記載の発明は、照明器具が、蛍光ランプとの間に隙間が形成されるように蛍光ランプの下方に配置された開放形のセードを具備していることを特徴とする請求項１乃至３のいずれか１項に記載の照明器具付天井扇風機である。
【００２０】
請求項４記載の発明によれば、開放形のセードを使用しているので、羽根を回転させると、セードと照明器具との間に対流している空気が入り込む。これにより、照明器具内の熱が外部へ放熱され易くなるので、蛍光ランプの効率低下や点灯装置等の部品の熱影響による劣化を防ぐことができ、照明器具をより薄くすることができる。
【００２１】
請求項５記載の発明は、照明器具が、セードの表面及び裏面の少なくとも一方に形成された光触媒膜を具備していることを特徴とする請求項４記載の照明器具付天井扇風機である。請求項５記載の発明によれば、照明器具がセードの表面及び裏面の少なくとも一方に形成された光触媒膜を具備しているので、空気を清浄化することができる。
【００２２】
請求項６記載の発明は、蛍光ランプには、光触媒膜が設けられていることを特徴とする請求項５記載の照明器具付天井扇風機である。請求項６記載の発明によれば、蛍光ランプには、光触媒膜が設けられているので、空気を清浄化をより促進することができる。
【００２３】
請求項７記載の発明は、天井扇風機本体が、羽根の回転数が最も速い状態で１００回転／分以下となるように駆動部を制御する回転制御部を具備していることを特徴とする請求項１乃至６のいずれか１項に記載の照明器具付天井扇風機である。
【００２４】
請求項７記載の発明によれば、天井扇風機本体が羽根の回転数が最も速い状態で１００回転／分以下となるように駆動部を制御する制御部をさらに備えているので、照明器具の揺れを抑制することができる。即ち、照明器具を薄型化すると照明器具が軽量化されるので、羽根を回転させると駆動部の振動により照明器具が揺れ易くなる。これに対し、本発明によれば、羽根の回転数を最も速い状態で１００回転／分以下となるように駆動部を制御するので、照明器具の揺れを抑制することができる。
【発明の効果】
【００２５】
請求項１記載の発明によれば、照明器具付天井扇風機全体の高さ方向における長さを低く抑えながら、照明器具付天井扇風機の横方向の長さ寸法を小さくできるので、全体としてコンパクトであって、使用者に与える圧迫感を抑制することができる。
【００２６】
請求項２記載の発明によれば、羽根の回転方向を変えられるので、蛍光ランプの効率低下をより抑制することができる。
【００２７】
請求項３記載の発明によれば、照明器具の高さ方向における長さを羽根と天井との間隔よりも小さくしたとしても効率的に放熱させることができるので、天井扇風機本体と照明器具とを合わせた高さ方向の全長を３５０ｍｍ以下とすることができる。
【００２８】
請求項４記載の発明によれば、照明器具内の熱が外部へ放熱され易くなるので、蛍光ランプの効率低下や点灯装置等の部品の熱影響による劣化を防ぐことができ、照明器具をより薄くすることができる。
【００２９】
請求項５及び請求項６記載の発明によれば、光触媒膜を備えているので、空気を清浄化することができる。請求項７記載の発明によれば、羽根の回転数を最も速い状態で１００回転／分以下となるように駆動部を制御するので、照明器具の揺れを抑制することができる。
【発明を実施するための最良の形態】
【００３０】
以下、本発明の実施の形態について説明する。図１は本実施の形態に係る照明器具付天井扇風機の模式的な斜視図であり、図２は本実施の形態に係る照明器具付天井扇風機の一部垂直断面図を含んだ模式的な側面図であり、図３は本実施の形態に係る蛍光ランプのフィラメント電極付近の模式的な側面図である。
【００３１】
図１及び図２に示されるように、照明器具付天井扇風機１は、主に、天井扇風機本体１０と、天井扇風機本体１０の下側に設けられた照明器具５０と、天井扇風機本体１０に設けられた羽根部７０とから構成されている。
【００３２】
天井扇風機本体１０は、主に、天井扇風機本体１０を天井Ｃに取付けるための取付部２０と、羽根部７０を回転させる駆動部３０と、駆動部３０及び照明器具５０を制御する制御部４０とから構成されている。
【００３３】
取付部２０は、上面が開口したケーシング２１を備えている。ケーシング２１の内側には、天井Ｃに埋め込まれた円状の埋込形引掛シーリング２２が位置している。埋込形引掛シーリング２２の外側には、埋込形引掛シーリング２２を取り囲むようにＯ形金具２３が配置されている。埋込形引掛シーリング２２とＯ形金具２３とは、ネジ２４により固定されている。
【００３４】
埋込形引掛シーリング２２には、電源用引掛シーリング２５が装着されている。埋込形引掛シーリング２２に電源用引掛シーリング２５を装着することにより、天井扇風機本体１０及び照明器具５０に電力が供給される。Ｏ形金具２３からはネジ２６が下方に突出している。このネジ２６は、ケーシング２１の縁部を貫通しており、ケーシング２１の外部で化粧ナット２７に螺合している。ネジ２６と化粧ナット２７とが螺合することにより、天井扇風機本体１０が天井Ｃに取付けられる。
【００３５】
駆動部３０は、ケーシング２１の下部に取付けられたケーシング３１を備えている。ケーシング３１内には、アウターロータ型のモータ３２が収容されている。モータ３２は、ステーの中心を貫通した固定軸３３を備えている。
【００３６】
制御部４０は、固定軸３３の下端部に取付けられたケーシング４１を備えている。ケーシング４１の側面の例えば３箇所には、後述するリモートコントローラ８０から発せられた例えば赤外線の制御信号を受信するための受光センサ４２が取付けられている。
【００３７】
ケーシング４１内には、モータ３２の駆動を制御するとともに照明器具５０の点灯を制御する制御回路４３が収容されている。制御回路４３は受光センサ４２と電気的に接続されており、受光センサ４２からの出力信号に基づいてモータ３２の駆動及び照明器具５０の点灯を制御するように構成されている。具体的には、制御回路４３では、受光センサ４２からの出力信号に基づいて、羽根部７０の回転数制御、羽根部７０の回転方向の切替制御、照明器具５０の点灯制御が行われる。ここで、モータ３２は、羽根部７０の回転数が最も速い状態で１００回転／分以下となるように制御回路４３により制御される。
【００３８】
受光センサ４２に制御信号を発信するリモートコントローラ８０は、羽根部７０を回転させるとともに羽根部７０の回転数を制御するためのファンＯＮキー８１と、羽根部７０の回転を停止させるためのファンＯＦＦキー８２と、羽根部７０を正回転させるための正回転キー８３、羽根部７０を逆回転させるための逆回転キー８４と、照明器具５０を点灯させるとともに調光を行うための照明ＯＮキー８５、照明器具５０を消灯させるための照明ＯＦＦキー８６を備えている。ファンＯＮキー８１においては、ファンＯＮキー８１押すことにより、例えば強、中、弱の３段階の回転数制御を行うことが可能となっており、また照明ＯＮキー８５においては、照明ＯＮキー８５を押すことにより、例えば全光、６０％調光、ベビー球５３点灯の３段階の制御を行うことが可能となっている。なお、リモートコントローラ８０には、これらのキーを通じて入力された設定情報を視覚的に表示する液晶ディスプレイ等が設けられていてもよい。
【００３９】
照明器具５０は、ケーシング４１の下部に取付けられた器具本体５１を備えている。器具本体５１内には、後述する蛍光ランプ５５を点灯させる点灯回路５２が収容されている。制御回路４３と点灯回路５２とは電気的に接続されている。制御回路４３と点灯回路５２を電気的に接続することにより、制御回路４３の出力信号に基づいて点灯回路５２が作動する。
【００４０】
器具本体５１の下部には、常夜灯としてのベビー球５３が取付けられているとともにリモートコントローラ８０から発せられた照明器具５０の制御信号を受信するための受光センサ５４が取付けられている。受光センサ５４は制御回路４３に電気的に接続されている。ここで、リモートコントローラ８０により照明器具５０を制御する制御信号が発信されると、受光センサ４２及び受光センサ５４の少なくともいずれかで受信される。
【００４１】
器具本体５１の下方には、管径が２０ｍｍ以下の環状の蛍光ランプ５５が例えば２本配置されている。図３に示されるように、蛍光ランプ５５における一方のフィラメント電極５５ａは他方のフィラメント電極５５ｂよりも口金５５ｃからの離間距離が大きく設定されている（いわゆる、フィラメントハイマウント構造）。このような構造の蛍光ランプ５５を使用することにより、フィラメント電極５５ａと口金５５ｃとの間に最冷部が形成される。
【００４２】
蛍光ランプ５５は、互いに対向する位置に配置されたホルダ５６，５７により保持されている。ホルダ５６は、先端部が器具本体５１の下面に形成された開口から突出するように設けられている。ホルダ５６内には、蛍光ランプ５５の口金ピン（図示せず）に接続されたコネクタ５８が配置されている。蛍光ランプ５５と点灯回路５２とはコネクタ５８を介して電気的に接続されている。蛍光ランプ５５と点灯回路５２を電気的に接続することにより、蛍光ランプ５５に所定の電力が供給される。ホルダ５７は、器具本体５１の下面に取り付けられている。
【００４３】
器具本体５１の下方には、円状のセード５９が配置されている。本実施の形態では、円状のセード５９を使用しているが、その他の形状であってもよい。
【００４４】
セード５９は、蛍光ランプ５５との間に隙間が存在するように配置された開放形のものである。開放形のセード５９とは、密閉されていないものをいう。即ち、セード５９の一方の側から入り込んだ空気はセード５９の他方の側から抜けるようになっている。また、セード５９は、端縁が器具本体５１よりも端縁よりも外側に位置するような大きさに形成されており、セード５９と器具本体５１とは所定箇所に設けられた取付金具６０により固定されている。
【００４５】
照明器具５０の高さ方向における長さは後述する羽根７２と天井Ｃとの間隔よりも小さくなっている。本実施の形態においては、器具本体５１の上面からセード５９の表面までの長さＨ１が１００ｍｍとなっており、羽根７２から天井Ｃまでの間隔Ｈ２が１５３ｍｍとなっている。また、天井扇風機本体１０と照明器具５０とを合わせた高さ方向の全長は３５０ｍｍ以下となっている。本実施の形態においてはケーシング２１の上端からセード５９の表面までの高さ方向の長さＨ３が２９０ｍｍとなっている。
【００４６】
セード５９の裏面には、光触媒膜６１が形成されている。光触媒膜６１は、可視光型光触媒微粒子から構成されている。可視光型光触媒微粒子とは、主として波長４５０ｎｍ以上の可視光および波長３８０ｎｍ以下の紫外光により活性化されるものであり、光触媒作用を有する金属酸化物からなる。このような金属酸化物としては、ＴｉＯ２、ＷＯ３、ＣｄＯ３、Ｉｎ２Ｏ３、Ａｇ２Ｏ、ＭｎＯ２、Ｃｕ２Ｏ３、Ｆｅ２Ｏ３、Ｖ２Ｏ５、ＺｒＯ２、ＲｕＯ２、Ｃｒ２Ｏ３、ＣｏＯ３、ＮｉＯ、ＳｎＯ２、ＣｅＯ２、Ｎｂ２Ｏ３、ＫＴａＯ３、ＳｒＴｉＯ３、Ｋ４ＮｂＯ１７などの一種または複数種を混合して用いることができる。これらの中でも、生成される電子−正孔密度やスーパーオキサイドアニオン、水酸ラジカル密度および材質としての耐腐食性、安全性などの観点から、ＴｉＯ２、ＳｒＴｉＯ３およびＫ４ＮｂＯ１７が好適である。しかし、最も光触媒作用が優れているとともに、工業的規模で入手可能であって、しかも、化学的に安定していて、安価に得ることができることから、ＴｉＯ２が最適である。
【００４７】
なお、本実施の形態では、セード５９の裏面に光触媒膜６１を形成しているが、セード５９の表面及び裏面のいずれか一方に形成されていればよい。また、本実施の形態では、可視光型光触媒微粒子から光触媒膜６１を形成しているが、紫外線型光触媒膜から光触媒膜６１を形成してもよい。
【００４８】
羽根部７０は、モータ３２のロータに根元部がそれぞれ固定された例えば４本のアーム７１を備えている。アーム７１の先端部には、器具本体５１の上面よりも上方に位置した羽根７２がそれぞれ取付けられている。羽根７２は、水平面に対して傾斜している。ここで、羽根７２の根元部７２ａは、器具本体５１の端縁よりも内側に位置しており、羽根７２の先端部７２ｂは器具本体５１の端縁よりも外側に位置している。また、羽根７２と天井Ｃとの間には、サーキュレーション効果が得られるように所定の間隔が形成されており、また羽根７２の根元部７２ａと器具本体５１の上面との間には、隙間が形成されている。
【００４９】
本実施の形態によれば、管径が２０ｍｍ以下の蛍光ランプ５５を使用し、羽根７２の根元部７２ａが器具本体５１の端縁よりも内側に位置し、羽根７２の先端部７２ｂが器具本体５１の端縁よりも外側に位置し、羽根７２と天井Ｃとの間に所定の間隔が形成され、羽根７２の根元部７２ａと器具本体５１の上面との間に隙間が形成されているので、照明器具付天井扇風機１全体の高さ方向における長さを低く抑えながら、照明器具付天井扇風機１の横方向の長さ寸法を小さくできるので、全体としてコンパクトであって、使用者に与える圧迫感を抑制することができるものである。
【００５０】
本実施の形態によれば、羽根７２と天井Ｃとの間に所定の間隔を形成し、羽根７２の根元部７２ａと器具本体５１の上面との間に隙間を形成し、羽根７２の根元部７２ａを器具本体５１の端縁よりも内側に位置させているので、対流により照明器具５０の冷却化を図ることができる。即ち、羽根７２と天井Ｃの間に所定の間隔が形成されているので、適切な空気の対流が起こり、照明器具５０の表面に対流している空気が当り、照明器具５０の冷却化を図ることができる。また、羽根７２の根元部７２ａが器具本体５１の端縁よりも内側に位置しているとともに羽根７２と器具本体５１の上面との間にも隙間が形成されているので、器具本体５１の上面にも対流した空気が当たり、照明器具５０の冷却化を図ることができる。これにより、照明器具５０内の点灯回路５２を構成する電気部品が照明器具５０内の熱影響により劣化することを抑制し、さらに蛍光ランプ５５の効率が低下することも抑制されるので、照明器具５０自体の薄型化を実現している。
【００５１】
本実施の形態では、羽根７２をコンパクト化しているので、羽根７２の駆動系統を少量化できることで、駆動部３０にかかる負荷の低減化を図ることができる。
【００５２】
本実施の形態では、羽根７２の回転方向を変えられるので、蛍光ランプ５５の効率低下をより抑制することができる。即ち、屋内の雰囲気温度が高い夏場等においては、雰囲気温度に加えて照明器具内部にこもる熱により照明器具内の温度が上昇し易くなる。そして、この温度が上昇すると、蛍光ランプの管壁温度が上昇してしまうので、蛍光ランプの効率が低下してしまうおそれがある。一方、屋内の雰囲気温度が低い冬場等においては、薄型の照明器具であっても蛍光ランプの管壁温度が低下してしまうので、蛍光ランプの効率が低下してしまうおそれがある。これに対し、本実施の形態では、羽根７２の回転方向を変えることができるので、屋内の雰囲気温度が高い夏場等には照明器具５０周辺の空気の流れが上方から下方へ向かうように羽根７２を回転させることができ、屋内の雰囲気が低い冬場等には照明器具５０周辺の空気の流れが下方から上方に向かうように羽根７２を回転させることができる。ここで、夏場等には下方に冷気が存在するので、照明器具５０周辺の空気の流れが上方から下方へ向かうように羽根７２を回転させることにより、冷気が循環する。これにより、照明器具５０内部の温度上昇が抑制されるので、蛍光ランプ５５の管壁温度の上昇が抑制される。また、冬場等には上方に暖気が存在するので、照明器具５０周辺の空気の流れが上方から下方へ向かうように羽根７２を回転させることにより、暖気が循環する。これにより、照明器具５０内部の温度低下が抑制されるので、蛍光ランプ５５の管壁温度の低下を抑制することができる。それ故、夏冬等により屋内温度のむらを低減することができるとともに、空気の流れにより蛍光ランプ５５の管壁温度変化を抑制することができ、蛍光ランプ５５の効率低下をより抑制することができる。さらにまた、照明器具５０内の点灯回路５２を構成する電気部品が照明器具５０内の熱影響により劣化することを抑制しているものである。
【００５３】
本実施の形態では、羽根７２と天井Ｃとの間に所定の空間が形成されているので、羽根７２を回転させると、照明器具５０周辺で対流が起こる。これにより、照明器具５０の高さ方向における長さＨ１を羽根７２と天井Ｃとの間隔Ｈ２よりも小さくしたとしても効率的に放熱させることができるので、天井扇風機本体１０と照明器具５０とを合わせた高さ方向の全長を３５０ｍｍ以下とすることができる。
【００５４】
本実施の形態では、開放形のセード５９を使用しているので、羽根７２を回転させると、セード５９と器具本体５１との間に対流している空気が入り込む。これにより、照明器具５０内の熱が外部へ放熱され易くなるので、蛍光ランプ５５の効率低下や点灯回路５２等の部品の熱影響による劣化を防ぐことができ、照明器具５０をより薄くすることができる。また、照明器具５０の効率低下をより抑制することができる。
【００５５】
本実施の形態では、セード５９の裏面に光触媒膜６１を形成しているので、羽根７２の回転で対流している空気がセード５９の裏面に当り易く、より多くの空気を清浄化することができる。なお、セード５９の裏面のみならず、蛍光ランプ５５の表面に光触媒膜を形成してもよい。
【００５６】
本実施の形態では、羽根７２の回転数を最も速い状態で１００回転／分以下となるようにモータ３２を制御するので、照明器具５０の揺れを抑制することができる。即ち、照明器具５０を薄型化すると照明器具５０が軽量化されるので、羽根７２を回転させるとモータ３２の振動により照明器具５０が揺れ易くなる。これに対し、本実施の形態では、羽根７２の回転数を最も速い状態で１００回転／分以下となるようにモータ３２を制御しているので、照明器具５０の揺れを抑制することができる。
【００５７】
なお、本発明は上記実施の形態の記載内容に限定されるものではなく、構造や材質、各部材の配置等は、本発明の要旨を逸脱しない範囲で適宜変更可能である。例えば、上記実施の形態では、開放形のセード５９を使用しているが、蛍光ランプ５５を覆って器具本体５１に取付けられる密閉形のセードを使用してもよい。この形態であっても、対流により放熱が促進されるので、照明器具５０内の温度の上昇を抑制することができ、蛍光ランプ５５の効率低下及び点灯回路５２の部品の劣化を抑制することが可能となる。なお、密閉形の形態であれば、光触媒はセードの外側に塗布されると好適である。
【図面の簡単な説明】
【００５８】
【図１】図１は実施の形態に係る照明器具付天井扇風機の模式的な斜視図である。
【図２】図２は実施の形態に係る照明器具付天井扇風機の一部垂直断面図を含んだ模式的な側面図である。
【図３】図３は本実施の形態に係る蛍光ランプのフィラメント電極付近の模式的な側面図である。
【符号の説明】
【００５９】
１…照明器具付天井扇風機、３０…駆動部、４０…制御部、５０…照明器具、５１…器具本体、５５…蛍光ランプ、５９…セード、６１…光触媒膜、７２…羽根、７２ａ…根元部、７２ｂ…先端部。
【図１】
2005226587.tif 000003
【図２】
2005226587.tif 000004
【図３】
2005226587.tif 000005